【手続補正書】
【提出日】平成24年6月21日(2012.6.21)
【手続補正１】
【補正対象書類名】特許請求の範囲
【補正対象項目名】全文
【補正方法】変更
【補正の内容】
【特許請求の範囲】
【請求項１】
足圧縮システムであって、
該足圧縮システムは、
可撓性の靴底を含む履物製品と、
格納式の曲げられない圧力パッドを含むアクチュエータ部分であって、該アクチュエータ部分は、該履物製品内に完全に収容される、アクチュエータ部分と
を備えている、足圧縮システム。
【請求項２】
前記アクチュエータ部分にコマンドを伝送する読取装置部分をさらに備えている、請求項１に記載のシステム。
【請求項３】
前記格納式の曲げられない圧力パッドに結合されたスリップクラッチをさらに備え、該スリップクラッチは、加えられた力が所定の値を超えることに応答して、該格納式の曲げられない圧力パッドを格納することを可能にするように構成されている、請求項１に記載のシステム。
【請求項４】
前記アクチュエータ部分は、該アクチュエータ部分が所定の期間内に移動させられたという指示に応答して、前記格納式の曲げられない圧力パッドの拡張を防止するように構成されている、請求項１に記載のシステム。
【請求項５】
前記読取装置部分は、前記足圧縮システムの動作履歴に関連する情報を表示する、請求項２に記載のシステム。
【請求項６】
前記格納式の曲げられない圧力パッドは、１ｍｍ〜２４ｍｍの距離に拡張する、請求項１に記載のシステム。
【請求項７】
前記アクチュエータ部分は、前記格納式の曲げられない圧力パッドを拡張することによって、１００ｍｍＨｇ〜５００ｍｍＨｇの加えられた圧力を生成する、請求項１に記載のシステム。
【請求項８】
足に接触する前記格納式の曲げられない圧力パッドの部分は、約１０平方センチメートル〜約３０平方センチメートルの接触表面積を有する、請求項１に記載のシステム。
【請求項９】
前記アクチュエータ部分は、約１００ミリ秒〜約３００ミリ秒の時間内に、前記格納式の曲げられない圧力パッドを完全格納位置から完全拡張位置まで拡張する、請求項１に記載のシステム。
【請求項１０】
前記読取装置部分は、ソフトウェアプログラムをさらに備え、該ソフトウェアプログラムは、前記足圧縮システムの動作の持続時間、実施された圧縮サイクルの数、該足圧縮システムによって生成された圧力、患者の歩行の持続時間、または該足圧縮システムの非活動の持続時間のうちの少なくとも１つに関連する情報にユーザがアクセスすることを可能にする、請求項２に記載のシステム。
【請求項１１】
足圧縮システムであって、
該足圧縮システムは、
可撓性の靴底を含む履物製品と、
格納式圧力パッドを含むアクチュエータ部分であって、該アクチュエータ部分は、該履物製品内に完全に収容される、アクチュエータ部分と、
該アクチュエータ部分と動作可能に通信するセンサと
を備え、
該センサは、該履物製品の着用者が歩行しているときを感知し、該着用者が歩行しているか否かに応答して該アクチュエータ部分を動作させる、足圧縮システム。
【請求項１２】
前記格納式圧力パッドの部分は、約１０平方センチメートル〜約３０平方センチメートルの表面積を有する、請求項１１に記載のシステム。
【請求項１３】
前記アクチュエータ部分は、約１００ミリ秒〜約３００ミリ秒の時間内に、前記格納式圧力パッドを完全格納位置から完全拡張位置まで拡張する、請求項１１に記載のシステム。
【手続補正２】
【補正対象書類名】明細書
【補正対象項目名】０００７
【補正方法】変更
【補正の内容】
【０００７】
別の例示的実施形態においては、有形コンピュータ読み取り可能媒体は、その上に記憶されたコンピュータ実行可能命令を有し、それは、システムによって実行された場合、システムに方法を実行させる。該方法は、圧力パッドを足と接触させて、足の一部分を圧縮するように１度目に圧力パッドを移動させることと、圧力パッドを足との接触から離して、足の一部分が少なくとも部分的に血液で再充填されることを可能にするように２度目に圧縮パッドを移動させることと、圧縮パッドを足に接触させて、血液の少なくとも一部分を足の一部分から押し出すように３度目に圧力パッドを移動させることとを含む。
例えば、本発明は以下の項目を提供する。
（項目１）
足圧縮システムであって、
足の静脈叢領域に圧縮力を送達するように構成されたアクチュエータ部分であって、該アクチュエータ部分は、格納式圧力パッドを備える、アクチュエータ部分と、
該アクチュエータ部分にコマンドを伝送するように構成された読取装置部分と
を備えている、足圧縮システム。
（項目２）
上記読取装置部分は、無線通信を介して上記アクチュエータ部分にコマンドを伝送する、項目１に記載のシステム。
（項目３）
上記圧力パッドが、１３０ニュートンを超える適用された力に応答して格納することを可能にするように構成されたスリップクラッチをさらに備えている、項目１に記載のシステム。
（項目４）
上記アクチュエータ部分は、該アクチュエータ部分が所定の期間内に移動させられたという指示に応答して、上記圧力パッドの拡張を防止するように構成される、項目１に記載のシステム。
（項目５）
上記読取装置部分は、上記足圧縮システムの動作履歴に関連する情報を表示する、項目１に記載のシステム。
（項目６）
上記圧力パッドは、１ｍｍ〜２４ｍｍの距離で拡張する、項目１に記載のシステム。
（項目７）
靴をさらに備え、上記アクチュエータ部分は、該靴に嵌合する、項目１に記載のシステム。
（項目８）
上記アクチュエータ部分は、上記圧力パッドを拡張させて、３００ｍｍＨｇ〜４６５ｍｍＨｇの適用された圧力を生成する、項目１に記載のシステム。
（項目９）
上記足に接触する上記圧力パッドの部分は、約１０平方センチメートル〜約３０平方センチメートルの接触表面積を有する、項目１に記載のシステム。
（項目１０）
上記アクチュエータ部分は、約１００ミリ秒〜約３００ミリ秒の時間内に、上記圧力パッドを完全格納位置から完全拡張位置まで拡張させる、項目１に記載のシステム。
（項目１１）
上記読取装置部分は、ソフトウェアプログラムをさらに備え、該ソフトウェアプログラムは、上記足圧縮システムの動作の持続時間、実施された圧縮サイクルの数、該足圧縮システムによって生成された圧力、患者の歩行の持続時間、または該足圧縮システムの非活動の持続時間のうちの少なくとも１つに関連する情報にユーザがアクセスすることを可能にする、項目１に記載のシステム。
（項目１２）
圧力パッドを足と接触させて、該足の一部分を圧縮するように１度目に圧力パッドを移動させることと、
該圧力パッドを該足との接触から離して、該足の一部分が少なくとも部分的に血液で再充填されることを可能にするように２度目に該圧力パッドを移動させることと、
該圧力パッドを該足と接触させて、該血液の少なくとも一部分を該足の一部分から押し出すように３度目に該圧力パッドを移動させることと
を含む、方法。
（項目１３）
１度目に上記圧力パッドを移動させることは、上記圧力パッドを１ｍｍ〜２４ｍｍの距離で移動させることを含む、項目１２に記載の方法。
（項目１４）
上記圧力パッドは、足と接触させられたときに、３００ｍｍＨｇ〜４６５ｍｍＨｇの適用された圧力を生成する、項目１２に記載の方法。
（項目１５）
上記足に接触する上記圧力パッドの一部分は、約１０平方センチメートル〜約３０平方センチメートルの接触表面積を有する、項目１２に記載の方法。
（項目１６）
上記圧力パッドは、履物の内側に配置される、項目１２に記載の方法。
（項目１７）
上記足の一部分は、静脈叢領域である、項目１２に記載の方法。
（項目１８）
コンピュータ実行可能命令を記憶した有形コンピュータ読み取り可能媒体であって、該コンピュータ実行可能命令は、システムによって実行された場合、該システムに、
圧力パッドを足と接触させて、該足の一部分を圧縮させるように１度目に圧力パッドを移動させることと、
該圧力パッドを該足との接触から離して、該足の一部分が少なくとも部分的に血液で再充填されることを可能にするように２度目に該圧力パッドを移動させることと、
該圧力パッドを該足と接触させて、該血液の少なくとも一部分を該足の一部分から押し出すように３度目に該圧力パッドを移動させることと
を含む方法を実施させる、有形コンピュータ読み取り可能媒体。
（項目１９）
１度目に上記圧力パッドを移動させることは、該圧力パッドを１ｍｍ〜２４ｍｍの距離で移動させることを含む、項目１８に記載の有形コンピュータ読み取り可能媒体。
（項目２０）
上記圧力パッドは、足と接触させられたときに、３００ｍｍＨｇ〜４６５ｍｍＨｇの適用された圧力を生成する、項目１８に記載の有形コンピュータ読み取り可能媒体。